(57)【要約】【課題】省電力化を図りながら、利便性を向上させることができる可搬型電子機器を提供する。【解決手段】可搬型電子機器（例えば受信装置２００）は、蓄電部（例えばバッテリー２７）と、リモコン信号を受信するリモコン信号受信部２５と、可搬型電子機器が充電台にセットされているか否かを判定する判定部（例えば接触スイッチ２０４及び制御部２４）を備え、使用者の操作に応じて前記可搬型電子機器の電源がＯＦＦになった場合に、前記判定部の判定結果が否でないときには前記リモコン信号受信部への電力供給を停止せず、前記判別部の判定結果が否であるときには無条件で又は第２の所定の条件下で前記リモコン信号受信部への電力供給を停止する。【選択図】図６
2014099813.tif 000002
【特許請求の範囲】
【請求項１】
蓄電部と、
リモコン信号を受信するリモコン信号受信部とを備える可搬型電子機器であって、
前記可搬型電子機器が前記蓄電部を充電するための充電台にセットされているか否かを判定する、又は、前記可搬型電子機器が前記蓄電部を充電するための充電台にセットされており且つ第１の所定の条件を満たすか否かを判定する判定部を備え、
使用者の操作に応じて前記可搬型電子機器の電源がＯＦＦになった場合に、
前記判定部の判定結果が否でないときには前記リモコン信号受信部への電力供給を停止せず、
前記判別部の判定結果が否であるときには無条件で又は第２の所定の条件下で前記リモコン信号受信部への電力供給を停止することを特徴する可搬型電子機器。
【請求項２】
前記判定部が、前記可搬型電子機器が前記蓄電部を充電するための充電台にセットされており且つ第１の所定の条件を満たすか否かを判定し、
前記第１の所定の条件は、前記充電台から前記可搬型電子機器への電力供給が可能な状態であることである請求項１に記載の可搬型電子機器。
【請求項３】
蓄電部と、
リモコン信号を受信するリモコン信号受信部とを備える可搬型電子機器であって、
前記可搬型電子機器に前記蓄電部を充電するための充電ケーブルが接続されているか否かを判定する、又は、前記可搬型電子機器に前記蓄電部を充電するための充電ケーブルが接続されており且つ第１の所定の条件を満たすか否かを判定する判定部を備え、
使用者の操作に応じて前記可搬型電子機器の電源がＯＦＦになった場合に、
前記判定部の判定結果が否でないときには前記リモコン信号受信部への電力供給を停止せず、
前記判別部の判定結果が否であるときには無条件で又は第２の所定の条件下で前記リモコン信号受信部への電力供給を停止することを特徴する可搬型電子機器。
【請求項４】
前記判定部が、前記可搬型電子機器に前記蓄電部を充電するための充電ケーブルが接続されており且つ第１の所定の条件を満たすか否かを判定し、
前記第１の所定の条件は、前記充電ケーブルから前記可搬型電子機器への電力供給が可能な状態であることである請求項３に記載の可搬型電子機器。
【請求項５】
送信装置及び受信装置を備える無線伝送システムであって、
前記送信装置は、
テレビ放送受信用チューナー部と、
前記テレビ放送受信用チューナー部から出力される映像信号及び音声信号を変調した無線信号を送信する第１の無線通信部とを備え、
前記受信装置は、
受信した前記無線信号を復調して映像信号及び音声信号を取得し、取得した映像信号及び音声信号を出力する第２の無線通信部と、
前記第２の無線通信部から出力される映像信号に基づく映像を表示するモニター部とを備え、
前記受信装置は、請求項１〜４のいずれか一項に記載の可搬型電子機器であることを特徴とする無線伝送システム。
【発明の詳細な説明】
【技術分野】
【０００１】
本発明は、蓄電部と、リモコン信号を受信するリモコン信号受信部とを備える可搬型電子機器及びそれを用いた無線伝送システムに関する。
【背景技術】
【０００２】
テレビ放送受信用チューナー部を有する送信装置と、モニター部を有する受信装置とを備える無線伝送システムが従来から知られている。このような無線伝送システムによると、送信装置と受信装置との無線通信が可能な範囲内であれば、使用者は受信装置を好きな場所に持ち運ぶことができ、好きな場所でテレビ番組を視聴することができる。
【０００３】
上記の受信装置は、蓄電部と、リモコン信号を受信するリモコン信号受信部とを備える構成が一般的である。
【先行技術文献】
【特許文献】
【０００４】
【特許文献１】特開２０１１−７１９０２号公報
【発明の概要】
【発明が解決しようとする課題】
【０００５】
上記の受信装置の省電力化を図るために、上記の受信装置を、受信装置自身の電源がＯＦＦになっている状態において、受信装置自身に設けられているモニター部及び無線通信部への電力供給を停止するだけでなく、受信装置自身に設けられているリモコン信号受信部への電力供給も停止する構成にすることが考えられる。
【０００６】
受信装置自身の電源がＯＦＦになっている状態において、受信装置自身に設けられているリモコン信号受信部への電力供給も停止して省電力化を図ることは、受信装置自身に設けられている蓄電部への１回の充電に対する受信装置の使用時間を長期化するために重要である。
【０００７】
しかしながら、受信装置自身に設けられているリモコン信号受信部への電力供給を停止した状態で、受信装置自身の電源をＯＦＦからＯＮに切り替える場合には、リモコン操作が行えないため、使用者は受信装置に近づいて受信装置本体に設けられている電源スイッチを操作する必要があり不便である。
【０００８】
このため、受信装置自身の電源がＯＦＦになっている状態において、受信装置自身に設けられているリモコン信号受信部への電力供給を過度に停止することは慎むべきである。
【０００９】
なお、特許文献１では、周囲の明るさに応じてリモコン信号受信回路への電力供給をＯＮ／ＯＦＦするリモコン操作機器が提案されているが、周囲が明るい場合にはリモコン信号受信回路への電力供給を全く停止することができないという問題がある。
【００１０】
本発明は、上記の状況に鑑み、蓄電部に蓄えられた電力の消費を抑えながら、利便性を向上させることができる可搬型電子機器及びそれを用いた無線伝送システムを提供することを目的とする。
【課題を解決するための手段】
【００１１】
上記目的を達成するために本発明の一局面に係る可搬型電子機器は、蓄電部と、リモコン信号を受信するリモコン信号受信部と、前記可搬型電子機器が前記蓄電部を充電するための充電台にセットされているか否かを判定する、又は、前記可搬型電子機器が前記蓄電部を充電するための充電台にセットされており且つ第１の所定の条件を満たすか否かを判定する判定部とを備え、使用者の操作に応じて前記可搬型電子機器の電源がＯＦＦになった場合に、前記判定部の判定結果が否でないときには前記リモコン信号受信部への電力供給を停止せず、前記判別部の判定結果が否であるときには無条件で又は第２の所定の条件下で前記リモコン信号受信部への電力供給を停止する構成（第１の構成）とする。なお、上記第１の構成の可搬型電子機器において、前記第２の所定の条件としては、例えば、前記可搬型電子機器に前記蓄電部を充電するための充電ケーブルが接続されていないという条件が考えられる。
【００１２】
上記第１の構成の可搬型電子機器によると、使用者の操作に応じて前記可搬型電子機器の電源がＯＦＦになった場合に、前記可搬型電子機器が前記充電台にセットされているとき、すなわち、前記蓄電部に蓄えられた電力が消費されないときには、前記リモコン信号受信部への電力供給を停止させないので、利便性を向上させることができる。
【００１３】
また、上記第１の構成の可搬型電子機器によると、使用者の操作に応じて前記可搬型電子機器の電源がＯＦＦになった場合に、前記可搬型電子機器が前記充電台にセットされていないとき、すなわち、前記蓄電部に蓄えられた電力が消費され、前記蓄電部の残量が不足して前記可搬型電子機器が動作しなくなるおそれがあるときには、前記リモコン信号受信部への電力供給を停止させるので、前記蓄電部に蓄えられた電力の消費を効果的に抑えることができる。
【００１４】
上記第１の構成の可搬型電子機器において、前記判定部が、前記可搬型電子機器が前記蓄電部を充電するための充電台にセットされており且つ第１の所定の条件を満たすか否かを判定し、前記第１の所定の条件は、前記充電台から前記可搬型電子機器への電力供給が可能な状態であることである構成（第２の構成）が好ましい。
【００１５】
上記第２の構成の可搬型電子機器によると、前記可搬型電子機器が前記充電台にセットされていても、前記蓄電部に蓄えられた電力が消費されるおそれがある状態であれば、前記リモコン信号受信部への電力供給を停止させるので、前記蓄電部に蓄えられた電力の消費を効果的に抑えることができる。
【００１６】
上記目的を達成するために本発明の他の局面に係る可搬型電子機器は、蓄電部と、リモコン信号を受信するリモコン信号受信部とを備える可搬型電子機器であって、前記可搬型電子機器に前記蓄電部を充電するための充電ケーブルが接続されているか否かを判定する、又は、前記可搬型電子機器に前記蓄電部を充電するための充電ケーブルが接続されており且つ第１の所定の条件を満たすか否かを判定する判定部を備え、使用者の操作に応じて前記可搬型電子機器の電源がＯＦＦになった場合に、前記判定部の判定結果が否でないときには前記リモコン信号受信部への電力供給を停止せず、前記判別部の判定結果が否であるときには無条件で又は第２の所定の条件下で前記リモコン信号受信部への電力供給を停止する構成（第３の構成）とする。なお、上記第３の構成の可搬型電子機器において、前記第２の所定の条件としては、例えば、前記可搬型電子機器が前記蓄電部を充電するための充電台にセットされていないという条件が考えられる。また、上記第３の構成は、上記第１の構成または上記第２の構成と組み合わせることも可能である。
【００１７】
上記第３の構成の可搬型電子機器によると、使用者の操作に応じて前記可搬型電子機器の電源がＯＦＦになった場合に、前記可搬型電子機器に前記充電ケーブルが接続されているとき、すなわち、前記蓄電部に蓄えられた電力が消費されないときには、前記リモコン信号受信部への電力供給を停止させないので、利便性を向上させることができる。
【００１８】
また、上記第３の構成の可搬型電子機器によると、使用者の操作に応じて前記可搬型電子機器の電源がＯＦＦになった場合に、前記可搬型電子機器に前記充電ケーブルが接続されていないとき、すなわち、前記蓄電部に蓄えられた電力が消費され、前記蓄電部の残量が不足して前記可搬型電子機器が動作しなくなるおそれがあるときには、前記リモコン信号受信部への電力供給を停止させるので、前記蓄電部に蓄えられた電力の消費を効果的に抑えることができる。
【００１９】
上記第３の構成の可搬型電子機器において、前記判定部が、前記可搬型電子機器に前記蓄電部を充電するための充電ケーブルが接続されており且つ第１の所定の条件を満たすか否かを判定し、前記第１の所定の条件は、前記充電ケーブルから前記可搬型電子機器への電力供給が可能な状態であることである構成（第４の構成）が好ましい。
【００２０】
上記第４の構成の可搬型電子機器によると、前記可搬型電子機器に前記充電ケーブルが接続されていても、前記蓄電部に蓄えられた電力が消費されるおそれがある状態であれば、前記リモコン信号受信部への電力供給を停止させるので、前記蓄電部に蓄えられた電力の消費を効果的に抑えることができる。
【００２１】
上記目的を達成するために本発明の他の局面に係る無線伝送システムは、送信装置及び受信装置を備える無線伝送システムであって、前記送信装置は、テレビ放送受信用チューナー部と、前記テレビ放送受信用チューナー部から出力される映像信号及び音声信号を変調した無線信号を送信する第１の無線通信部とを備え、前記受信装置は、受信した前記無線信号を復調して映像信号及び音声信号を取得し、取得した映像信号及び音声信号を出力する第２の無線通信部と、前記第２の無線通信部から出力される映像信号に基づく映像を表示するモニター部とを備え、前記受信装置は、上記第１〜第４のいずれかの構成の可搬型電子機器である構成（第５の構成）とする。
【発明の効果】
【００２２】
本発明によると、蓄電部に蓄えられた電力の消費を抑えながら、利便性を向上させることができる可搬型電子機器及びそれを用いた無線伝送システムを実現することができる。
【図面の簡単な説明】
【００２３】
【図１】本発明の第１実施形態に係る受信装置及び充電台の正面斜視図である。
【図２】本発明の第１実施形態に係る受信装置及び充電台の正面斜視図である。
【図３】本発明の第１実施形態に係る受信装置の底面図である。
【図４】本発明の第１実施形態に係る受信装置の背面斜視図である。
【図５】本発明の第１実施形態に係る受信装置の側面図である。
【図６】本発明の第１実施形態に係る無線伝送システムのブロック図である。
【図７】本発明の第１実施形態に係る受信装置の電源のＯＮとＯＦＦとの切り替わりに関連する動作を示すフローチャートである。
【図８】本発明の第２実施形態に係る無線伝送システムのブロック図である。
【図９】本発明の第２実施形態に係る受信装置の電源のＯＮとＯＦＦとの切り替わりに関連する動作を示すフローチャートである。
【図１０】本発明の第３実施形態に係る無線伝送システムのブロック図である。
【図１１】本発明の第４実施形態に係る無線伝送システムのブロック図である。
【図１２】第１実施形態と第３実施形態とを組み合わせて実施する場合における受信装置の電源のＯＮとＯＦＦとの切り替わりに関連する動作の一例を示すフローチャートである。
【図１３】第１実施形態と第３実施形態とを組み合わせて実施する場合における受信装置の電源のＯＮとＯＦＦとの切り替わりに関連する動作の他の例を示すフローチャートである。
【発明を実施するための形態】
【００２４】
本発明の実施形態について図面を参照して以下に説明する。
【００２５】
＜第１実施形態＞
図１及び図２はそれぞれ、本発明の第１実施形態に係る受信装置２００及び充電台３００の正面斜視図である。図１は本実施形態に係る受信装置２００が充電台３００にセットされる直前の状態を示し、図２は本実施形態に係る受信装置２００が充電台３００にセットされている状態を示している。図３は本実施形態に係る受信装置２００の底面図である。
【００２６】
本実施形態に係る受信装置２００には、本実施形態に係る受信装置２００の電源のＯＮとＯＦＦとを切り替えるための電源スイッチ２０３が設けられている。充電台３００は、商用ＡＣ電圧を所定値のＤＣ電圧に変換するＡＣアダプター（不図示）から受け取った所定値のＤＣ電圧を充電台電極３０１及び３０２間の電圧として出力する。
【００２７】
本実施形態に係る受信装置２００が充電台３００にセットされると、本実施形態に係る受信装置２００に設けられている受信装置電極２０１と充電台３００に設けられている充電台電極３０１とが電気的に接続され、本実施形態に係る受信装置２００に設けられている受信装置電極２０２と充電台３００に設けられている充電台電極３０２とが電気的に接続され、さらに受信装置電極２０１及び２０２の配置面に設けられている接触スイッチ２０４により、受信装置電極２０１及び２０２の配置面と充電台電極３０１及び３０２の配置面との接触が検出される。
【００２８】
図４は本実施形態に係る受信装置２００の背面斜視図であり、図５は本実施形態に係る受信装置２００の側面図である。本実施形態に係る受信装置２００の背面には折りたたみ式スタンド２０５が設けられている。使用者が折りたたみ式スタンド２０５を本実施形態に係る受信装置２００の背面側から引き出すことにより、充電台３００にセットされていない状態における本実施形態に係る受信装置２００の自立が可能になる。
【００２９】
図６は、本実施形態に係る無線伝送システムのブロック図である。なお、図が煩雑になることを避けるため、図６では電源回路２８から各部に電力を供給するための電源ライン及び制御部２４と各部と間で制御信号を伝送するための制御ラインの図示を省略している。本実施形態に係る無線信号伝送システムは、送信装置１００と、上述した本実施形態に係る受信装置２００とを備えている。
【００３０】
まず、送信装置１００について説明する。送信装置１００は、分配器１１と、テレビ放送受信用チューナー部１２と、無線通信部１３と、制御部１４と、電源回路１５とを備えている。
【００３１】
分配器１１は、地上デジタルテレビ放送信号や衛星デジタルテレビ放送信号等のテレビ放送信号を二分配し、一方を外部に出力し、他方をテレビ放送受信用チューナー部１２に出力する。
【００３２】
テレビ放送受信用チューナー部１２は、分配器１１から出力されたテレビ放送信号に対して選局処理を施して、受信チャンネルの映像信号及び音声信号を取得し、取得した映像信号及び音声信号を無線通信部１３に出力する。テレビ放送受信用チューナー部１２から出力される映像信号及び音声信号はどのような形式の信号であってもよく、例えばアナログ信号、デジタル信号のどちらでもよく、圧縮信号、非圧縮信号のどちらでもよい。したがって、必要に応じて、選局処理後に所定の信号処理を実行する信号処理回路をテレビ放送受信用チューナー部１２内に設けるようにすればよい。テレビ放送受信用チューナー部１２は、電源回路１５から供給されるＤＣ電圧をテレビ放送受信用チューナー部１２自身の電源電圧として利用する。
【００３３】
無線通信部１３は、テレビ放送受信用チューナー部１２から出力される映像信号及び音声信号を変調した無線信号を送信する。変調方式及び無線信号の周波数帯は特に限定されないが、例えばＩＥＥＥ８０２．１１ａ、ＩＥＥＥ８０２．１１ｇ、ＩＥＥＥ８０２．１１ｂ等に準拠した変調方式及び無線信号の周波数帯を用いることができる。無線通信部１３は、電源回路１５から供給されるＤＣ電圧を無線通信部１３自身の電源電圧として利用する。
【００３４】
制御部１４は、テレビ放送受信用チューナー部１２の動作及び無線通信部１３の動作を制御する。制御部１４は、電源回路１５から供給されるＤＣ電圧を制御部１４自身の電源電圧として利用する。
【００３５】
電源回路１５は、外部から供給される商用ＡＣ電圧を所定値のＤＣ電圧に変換して、テレビ放送受信用チューナー部１２、無線通信部１３、及び制御部１４に供給する。
【００３６】
次に、本実施形態に係る受信装置２００について説明する。本実施形態に係る受信装置２００は、無線通信部２１と、液晶モニター部２２と、音声出力部２３と、制御部２４と、リモコン受信部２５と、充電回路２６と、バッテリー２７と、電源回路２８と、受信装置電極２０１及び２０２と、電源スイッチ２０３と、接触スイッチ２０４とを備えている。バッテリー２７は、請求項１に記載されている蓄電部の一例に相当し、制御部２４及び接触スイッチ２０４は、請求項１に記載されている判定部の一例に相当する。
【００３７】
無線通信部２１は、受信した無線信号を復調して映像信号及び音声信号を取得し、取得した映像信号及び音声信号を出力する。なお、必要に応じて、無線通信部２１から出力される映像信号に対して所定の信号処理を施す信号処理回路を無線通信部２１と液晶モニター部２２との間に設け、無線通信部２１から出力される音声信号に対して所定の信号処理を施す信号処理回路を無線通信部２１と音声出力部２３との間に設けるようにすればよい。無線通信部２１は、電源回路２８から供給されるＤＣ電圧を無線通信部２１自身の電源電圧として利用する。
【００３８】
液晶モニター部２２は、無線通信部２１から出力される映像信号に基づく映像を表示する。液晶モニター部２２は、電源回路２８から供給されるＤＣ電圧を液晶モニター部２２自身の電源電圧として利用する。
【００３９】
音声出力部２３は、例えばアンプとスピーカとによって構成され、無線通信部２１から出力される音声信号に基づく音声を出力する。音声出力部２３は、電源回路２８から供給されるＤＣ電圧を音声出力部２３自身の電源電圧として利用する。
【００４０】
制御部２４は、リモコン受信部２５から出力されるリモコンコード信号、電源スイッチ２０３から出力される信号、及び接触スイッチ２０４から出力される信号等に基づいて、無線通信部２１の動作、液晶モニター部２２の動作、音声出力部２３の動作、充電回路２６の動作、電源回路２８の動作、及び制御部２４自身の動作を制御する。制御部２４は、電源回路２８から供給されるＤＣ電圧を制御部２４自身の電源電圧として利用する。
【００４１】
リモコン受信部２５は不図示のリモートコントローラから送信されるリモコン信号を受信し、受信したリモコン信号に対応するリモコンコード信号を制御部２４に出力する。リモコン信号は赤外線信号が一般的であるが、他の無線信号であってもよい。リモコン受信部２５は、電源回路２８から供給されるＤＣ電圧をリモコン受信部２５自身の電源電圧として利用する。
【００４２】
充電回路２６は、充電台３００から受信装置電極２０１及び２０２を介して供給されるＤＣ電力を利用して、バッテリー２７を充電する。  電源回路２８は、バッテリー２７から出力されるＤＣ電圧又は受信装置電極２０１及び２０２間に印加されるＤＣ電圧を所定値のＤＣ電圧に変換して受信装置２００の各部に供給する。
【００４３】
次に、本実施形態に係る受信装置２００の電源のＯＮとＯＦＦとの切り替わりに関連する動作を図７のフローチャートを参照しながら説明する。
【００４４】
本実施形態に係る受信装置２００の電源がＯＮである状態から図７に示すフロー動作が開始される。
【００４５】
制御部２４は、使用者がリモートコントローラ又は電源スイッチ２０３に対して本実施形態に係る受信装置２００の電源をＯＮからＯＦＦに切り替える操作を行ったことを検知したか否かを判定する（ステップＳ１０）。
【００４６】
制御部２４は、使用者がリモートコントローラ又は電源スイッチ２０３に対して本実施形態に係る受信装置２００の電源をＯＮからＯＦＦに切り替える操作を行ったことを検知すると（ステップＳ１０のＹＥＳ）、本実施形態に係る受信装置２００が充電台３００にセットされているか否かを接触スイッチ２０４から出力される信号に基づいて判定する（ステップＳ２０）。
【００４７】
制御部２４は、本実施形態に係る受信装置２００が充電台３００にセットされていないと判定した場合（ステップＳ２０のＮＯ）、ステップＳ２０の判定機能以外の機能をＯＦＦにし（ステップＳ３０）、その後ステップＳ５０に移行する。これにより、使用者の操作に応じて本実施形態に係る受信装置２００の電源がＯＦＦになった場合に、本実施形態に係る受信装置２００が充電台３００にセットされていないとき、すなわち、バッテリー２７に蓄えられた電力が消費され、バッテリー２７の残量が不足して本実施形態に係る受信装置２００が動作しなくなるおそれがあるときには、リモコン受信部２５への電力供給を停止することでリモコン受信機能もＯＦＦになる。したがって、バッテリー２７に蓄えられた電力の消費を効果的に抑えることができる。
【００４８】
一方、制御部２４は、本実施形態に係る受信装置２００が充電台３００にセットされていると判定した場合（ステップＳ２０のＹＥＳ）、ステップＳ２０の判定機能、充電機能、及びリモコン受信機能以外の機能をＯＦＦにし（ステップＳ４０）、その後ステップＳ５０に移行する。これにより、使用者の操作に応じて本実施形態に係る受信装置２００の電源がＯＦＦになった場合に、本実施形態に係る受信装置２００が充電台３００にセットされているとき、すなわち、バッテリー２７に蓄えられた電力が消費されないときには、リモコン受信部２５への電力供給を停止しないことでリモコン受信機能はＯＮにするので、使用者によるリモートコントローラの操作に応じて本実施形態に係る受信装置２００の電源をＯＦＦからＯＮに切り替えることができる。したがって、利便性を向上させることができる。
【００４９】
ステップＳ５０において、制御部２４は、ステップＳ３０から移行してきた場合には使用者が電源スイッチ２０３に対して本実施形態に係る受信装置２００の電源をＯＦＦからＯＮに切り替える操作を行ったことを検知したか否かを判定し、ステップＳ４０から移行してきた場合には使用者がリモートコントローラ又は電源スイッチ２０３に対して本実施形態に係る受信装置２００の電源をＯＦＦからＯＮに切り替える操作を行ったことを検知したか否かを判定する（ステップＳ５０）。
【００５０】
制御部２４は、本実施形態に係る受信装置２００の電源をＯＦＦからＯＮに切り替える操作が行われたことを検知しなければ（ステップＳ５０のＮＯ）、ステップＳ２０に戻り、本実施形態に係る受信装置２００の電源をＯＦＦからＯＮに切り替える操作が行われたことを検知すれば（ステップＳ５０のＹＥＳ）、本実施形態に係る受信装置２００の電源をＯＦＦからＯＮに切り替えて（ステップＳ６０）、フロー動作を終了する。その後、再度図７に示すフロー動作を開始すればよい。
【００５１】
＜第２実施形態＞
第１実施形態では、受信装置２００が充電台３００にセットされている状態であれば、受信装置２００の電源をＯＮからＯＦＦに切り替える操作が検知されると、無条件にリモコン受信機能がＯＦＦにならない。このため、第１実施形態では、例えば充電台３００とＡＣアダプターとが接続されていなくて、バッテリー２７に蓄えられた電力が消費されるおそれがある状態であっても、受信装置２００が充電台３００にセットされている状態であれば、受信装置２００の電源をＯＮからＯＦＦに切り替える操作が検知されると、リモコン受信機能がＯＦＦにならず、バッテリー２７に蓄えられた電力の消費を効果的に抑えることができない。
【００５２】
本実施形態は、上記の点について改良されている。本実施形態の外観図は、受信装置２００に接触スイッチ２０４を設けない点以外は第１実施形態と同様であるため、新たな図示や説明は省略する。
【００５３】
図８は、本実施形態に係る無線伝送システムのブロック図である。なお、図が煩雑になることを避けるため、図８では電源回路２８から各部に電力を供給するための電源ライン及び制御部２４と各部と間で制御信号を伝送するための制御ラインの図示を省略している。
【００５４】
本実施形態に係る無線信号伝送システムは、接触スイッチ２０４の代わりに電圧検出回路２９を受信装置２００に設けた点以外は第１実施形態に係る無線信号伝送システムと同様である。同様の部分に関する説明は省略する。制御部２４及び電圧検出回路２９は、請求項２に記載されている判定部の一例に相当する。
【００５５】
電圧検出回路２９は受信装置電極２０１及び２０２間に印加されるＤＣ電圧を検出し、検出結果を制御部２４に出力する。制御部２４は、電圧検出回路２９の検出結果に基づいて、本実施形態に係る受信装置２００が充電台３００にセットされ且つ充電台３００から本実施形態に係る受信装置２００への電力供給が可能な状態である否かを判定する。
【００５６】
次に、本実施形態に係る受信装置２００の電源のＯＮとＯＦＦとの切り替わりに関連する動作を図９のフローチャートを参照しながら説明する。
【００５７】
図９のフローチャートは、ステップＳ２０をステップＳ２１に置換した以外は第１実施形態に関する図７のフローチャートと同様である。同様のステップに関する説明は省略する。
【００５８】
制御部２４は、使用者がリモートコントローラ又は電源スイッチ２０３に対して本実施形態に係る受信装置２００の電源をＯＮからＯＦＦに切り替える操作を行ったことを検知すると（ステップＳ１０のＹＥＳ）、本実施形態に係る受信装置２００が充電台３００にセットされ且つ充電台３００から本実施形態に係る受信装置２００への電力供給が可能な状態である否かを電圧検出回路２９の検出結果に基づいて判定する（ステップＳ２１）。
【００５９】
制御部２４は、本実施形態に係る受信装置２００が充電台３００にセットされているという第１の条件及び充電台３００から本実施形態に係る受信装置２００への電力供給が可能な状態であるという第２の条件の両方が満たされていないあるいは上記第２の条件のみが満たされていないと判定した場合（ステップＳ２１のＮＯ）、ステップＳ２１の判定機能以外の機能をＯＦＦにし（ステップＳ３０）、その後ステップＳ５０に移行する。
【００６０】
一方、制御部２４は、上記第１の条件及び上記第２の条件の両方が満たされていると判定した場合（ステップＳ１０のＹＥＳ）、ステップＳ２１の判定機能、充電機能、及びリモコン受信機能以外の機能をＯＦＦにし（ステップＳ４０）、その後ステップＳ５０に移行する。
【００６１】
＜第３実施形態＞
第３実施形態は第１実施形態と酷似しているが、図１０に示すように、本実施形態に係る受信装置２００が受信装置電極２０１及び２０２の代わりに外部電源端子２０６を備え、接触スイッチ２０４が外部電源端子２０６へのＡＣアダプターのケーブル端（充電ケーブル端の一例）の挿入による外部電源端子２０６とＡＣアダプターのケーブル端との接触を検出している点で第１実施形態と異なる。
【００６２】
上述した第１実施形態の説明において、「受信装置２００が充電台３００にセットされる」という部分を「受信装置２００の外部電源端子２０６にＡＣアダプターのケーブル端が接続される」と読み替えることによって、第３実施形態の内容を理解することができるため、詳細な説明は省略する。
【００６３】
＜第４実施形態＞
第４実施形態は第２実施形態と酷似しているが、図１１に示すように、本実施形態に係る受信装置２００が受信装置電極２０１及び２０２の代わりに外部電源端子２０６を備え、電圧検出回路２９が外部電源端子２０６へのＡＣアダプターのケーブル端（充電ケーブル端の一例）から外部電源端子２０６に印加される電圧を検出している点で第１実施形態と異なる。
【００６４】
上述した第２実施形態の説明において、「受信装置２００が充電台３００にセットされる」という部分を「受信装置２００の外部電源端子２０６にＡＣアダプターのケーブル端が接続される」と読み替え、「充電台３００から受信装置２００への電力供給が可能な状態である」という部分を「ＡＣアダプターから受信装置２００への電力供給が可能な状態である」と読み替えることによって、第４実施形態の内容を理解することができるため、詳細な説明は省略する。尚、例えばＡＣアダプターが商用電源コンセントに差し込まれていない場合に「ＡＣアダプターから受信装置２００への電力供給が可能な状態」にならない。
【００６５】
＜その他＞
第１実施形態又は第２実施形態と第３実施形態又は第４実施形態とは組み合わせて実施することができる。例えば、第１実施形態と第３実施形態とを組み合わせて実施する場合、受信装置２００が、受信装置電極２０１及び２０２と外部電源端子２０６とを備え、充電台との接触を検知する接触スイッチとＡＣアダプターのケーブル端との接触を検知する接触センサとをそれぞれ備える構成であり、受信装置２００が図１２または図１３に示すフロー動作を行う。
【００６６】
図１２に示すフロー動作は、請求項１に記載の可搬型電子機器に含まれる「蓄電部と、リモコン信号を受信するリモコン信号受信部とを備える可搬型電子機器であって、前記可搬型電子機器が前記蓄電部を充電するための充電台にセットされているか否かを判定する判定部を備え、使用者の操作に応じて前記可搬型電子機器の電源がＯＦＦになった場合に、前記判定部の判定結果が否でないときには前記リモコン信号受信部への電力供給を停止せず、前記判別部の判定結果が否であるときには第２の所定の条件下で前記リモコン信号受信部への電力供給を停止することを特徴する可搬型電子機器」が行う動作の一例であって、この場合、前記第２の所定の条件は前記可搬型電子機器（受信装置２００）に前記蓄電部（バッテリー２７）を充電するための充電ケーブル（ＡＣアダプターのケーブル端）が接続されていないという条件であり、当該条件を満たしているかがステップＳ２２において判定されている。
【００６７】
図１３に示すフロー動作は、請求項３に記載の可搬型電子機器に含まれる「蓄電部と、リモコン信号を受信するリモコン信号受信部とを備える可搬型電子機器であって、前記可搬型電子機器に前記蓄電部を充電するための充電ケーブルが接続されているか否かを判定する判定部を備え、使用者の操作に応じて前記可搬型電子機器の電源がＯＦＦになった場合に、前記判定部の判定結果が否でないときには前記リモコン信号受信部への電力供給を停止せず、前記判別部の判定結果が否であるときには第２の所定の条件下で前記リモコン信号受信部への電力供給を停止することを特徴する可搬型電子機器」が行う動作の一例であって、この場合、前記第２の所定の条件は前記可搬型電子機器（受信装置２００）が前記蓄電部（バッテリー２７）を充電するための充電台３００にセットされていないという条件であり、当該条件を満たしているかがステップＳ２４において判定されている。
【００６８】
第１実施形態と第４実施形態とを組み合わせて実施する場合、第２実施形態と第３実施形態とを組み合わせて実施する場合、及び第２実施形態と第４実施形態とを組み合わせて実施する場合もそれぞれ、上述した第１実施形態と第３実施形態とを組み合わせて実施する場合と同様にすればよいので、ここでは説明を省略する。
【００６９】
また、第１実施形態ではステップＳ２０の判定処理（図７参照）を行うために接触スイッチ２０４を用いたが、接触スイッチ２０４以外の検出手段を用いて同様の判定処理を行ってもよい。また、第２実施形態ではステップＳ２１の判定処理（図９参照）を行うために電圧検出回路２９を用いたが、電圧検出回路２９以外の検出手段を用いて同様の判定処理を行ってもよい。さらに、第１実施形態及び第２実施形態では受信装置２００が受信装置電極２０１及び２０２を備え、充電台３００が充電台電極３０１及び３０２を備え、これらの充電用電極を介して充電が行われたが、充電用電極を設けない構成として無接点充電を行うようにしてもよい。
【００７０】
また、上述した第１〜第４実施形態では無線伝送システムの受信装置を本発明に係る可搬型電子機器の一例として説明したが、本発明に係る可搬型電子機器は、蓄電部と、リモコン信号を受信するリモコン信号受信部とを備える可搬型電子機器全般に適用可能であり、例えば、蓄電部と、リモコン信号を受信するリモコン信号受信部とを備える音楽プレイヤー等に適用することができる。
【符号の説明】
【００７１】
１１  分配器
１２  テレビ放送受信用チューナー部
１３、２１  無線通信部
１４、２４  制御部
１５、２７  電源回路
２２  液晶モニター部
２３  音声出力部
２５  リモコン受信部
２６  充電回路
２７  バッテリー
２８  電源回路
２９  電圧検出回路
１００  送信装置
２００  受信装置
２０１、２０２  受信装置電極
２０３  電源スイッチ
２０４  接触スイッチ
２０５  折りたたみ式スタンド
２０６  外部電源端子
３００  充電台
３０１、３０２  充電台電極
【図１】
2014099813.tif 000003
【図２】
2014099813.tif 000004
【図３】
2014099813.tif 000005
【図４】
2014099813.tif 000006
【図５】
2014099813.tif 000007
【図６】
2014099813.tif 000008
【図７】
2014099813.tif 000009
【図８】
2014099813.tif 000010
【図９】
2014099813.tif 000011
【図１０】
2014099813.tif 000012
【図１１】
2014099813.tif 000013
【図１２】
2014099813.tif 000014
【図１３】
2014099813.tif 000015